(57)【要約】本発明は、導電性の表面に設けられたアースプレーン３０６により適所に保持されるモノポール放射エレメントが設けられたアンテナ３００を有するデータ伝送システムに関する。本発明によれば、放射エレメント３０２は、その性能を改善するために後者と対話するように、アースプレーンの表面に面して位置される。
2007531362.tif 000002
【特許請求の範囲】
【請求項１】
導電性のアースプレーンに搭載された少なくともモノポール放射エレメントが設けられたアンテナを有するデータ伝送システムであって、
前記放射エレメントは、前記アースプレーンの導電性の表面の近くに位置されるマストを介して前記アースプレーンの前記導電性の表面に接続される、
ことを特徴とするデータ伝送システム。
【請求項２】
前記放射エレメントは、その励起ポイントで前記放射エレメントに固定されるマストを介して前記アースプレーンの前記導電性の表面に接続されるので、前記励起ポイントは、前記アースプレーンの表面に関して偏心される、
ことを特徴とする請求項１記載のデータ伝送システム。
【請求項３】
前記アースプレーンは、前記アンテナにより使用される波長をλとしてλ／２の倍数のオーダからなる、その長さ、その幅及び／又はその高さのような少なくとも１つのその寸法を有する、
ことを特徴とする請求項１又は２記載のデータ伝送システム。
【請求項４】
その反射係数が動作周波数帯域において−１０ｄＢよりも低くするための手段を含む、
ことを特徴とする請求項１乃至３のいずれか記載のデータ伝送システム。
【請求項５】
前記アースプレーンの個別のエッジで位置されるマストを介して同じ導電性のアースプレーンに搭載された第一のコンパクトな放射エレメント及び第二のコンパクトな放射エレメントを含む、
ことを特徴とする請求項１乃至４のいずれか記載のデータ伝送システム。
【請求項６】
前記アンテナには中空の放射エレメントが設けられる、
請求項１乃至４のいずれか記載のデータ伝送システム。
【請求項７】
前記アンテナのアースプレーンは、デジタル地上波テレビジョンデコーダの一方の面に対応する、
ことを特徴とする請求項１乃至６のいずれか記載のデータ伝送システム。
【請求項８】
４７０ＭＨｚと８６２ＭＨｚの間にある周波数帯域でのデジタル地上波テレビジョンの環境で送信された信号を受信し、デコードするための手段を含む、
ことを特徴とする請求項１乃至７のいずれか記載のデータ伝送システム。
【請求項９】
前記アンテナは、前記アースプレーンの表面に関して回転機構の周りで旋回する手段を含む、
ことを特徴とする請求項１乃至８のいずれか記載のデータ伝送システム。
【発明の詳細な説明】
【技術分野】
【０００１】
本発明は、コンパクトアンテナが設けられる電磁波を受信及びデコードするシステムに関し、特に、デジタル地上波テレビジョンの分野において、かかるコンパクトアンテナをデコーダと結合することによる、電磁波を受信及びデコードするシステムに関する。
【背景技術】
【０００２】
アンテナの使用は、無線情報伝送の方法における増加につれて益々普及している。特に、デジタル地上波テレビジョンのケースでは、公知のデジタル変調技術のため、アナログテレビジョンよりも多くの番組の提供のおかげで、近年において著しい成長があることが予想される。
【０００３】
しかし、デジタル地上波テレビジョンのために使用される変調のロバスト性にもかかわらず、計測器会社は、ポータブルアンテナを使用した受信のケースにおいて著しい受信上の問題を示している。
【０００４】
これは、デジタル地上波テレビジョン用に送信された信号は、その品質の低下がプログレッシブであるアナログ信号とは異なって、デジタルであって、デジタル画像は、画像の良質な受信から画像の完全な損失までの迅速な遷移を介して通過するためである。
【発明の開示】
【発明が解決しようとする課題】
【０００５】
したがって、典型的に住宅又はビルディングの屋根といった固定されたアンテナについてのみでなく、特にポータブルアンテナの受信構成についても良質な受信を可能にする技術的なソリューションを提供することが重要である。
【課題を解決するための手段】
【０００６】
本発明は、かかるポータブル受信がアンテナにより受信された信号を処理するためのデコーダの近くに配置されるアンテナを使用して一般的に達成されるという洞察から得られている。
【０００７】
図１は、矩形の放射エレメント１０２、マスト１０６及びアースプレーン１０４を概念的に示している。このアンテナ１００は、λで示される波長に対応するＵＨＦ（Ultra  High  Frequency）バンドにおける中心周波数Ｆの周りの周波数レンジにおいて機能する。
【０００８】
このケースにおいて、放射エレメント１０２の寸法は、高さ１７５ｍｍ及び幅９０ｍｍである。アースプレーンの寸法は、８３ｍｍ×９６ｍｍであり、すなわち０．２λのオーダである。
【０００９】
このアンテナは、アンテナ／デコーダ接続手段１０８を介してデコーダ１１０に接続され、これらの手段１１０は、特に導電ワイヤから構成される。
【００１０】
このデコーダ１１０は、アンテナ１００により伝達されるデータを受け、それをデコードし、デコーダ／テレビジョン接続手段１１２を介してテレビジョンセット１１４に送出する。
【００１１】
図２は、周波数の関数として（ギガヘルツでｘ軸２０２にプロットされる）、モノポールアンテナ１００の反射係数の曲線２０６（デシベルでｙ軸２０４にプロットされる）を示すプロット２００である。
【００１２】
周波数動作レンジは−１０ｄＢ以下の曲線の部分であるので、このモノポールアンテナは、横座標２０８、すなわち４５０ＭＨｚと横座標２１０、すなわち９０３ＭＨｚとの間のＵＨＦ（Ultra  High  Frequency）バンドで動作するように設計されることがわかる。たとえば、デジタル地上波テレビジョン専用のアンテナの動作帯域は、４７０ＭＨｚと８６２ＭＨｚとの間にある。言い換えれば、かかるモノポールアンテナ１００は、デジタル地上波テレビジョンの環境で使用される場合がある。
【００１３】
しかし、家庭環境で使用することができる更にコンパクトなアンテナ及びアクセサリ（付属機器）を与えるソリューションを発見することが重要である。
【００１４】
ここで、アンテナは、エレクトロニクスの場で観察される小型化に対する一般的な傾向への例外を表す。この例外は、物理法則により説明される。
【００１５】
これは、アンテナの分野では、一方でアンテナにより占められる最大ボリュームと他方でその放射及び帯域幅の効率との間の妥協が必然的に存在するためである。
【００１６】
実際に、アンテナの全体のサイズは、アンテナの動作周波数レンジに対応する波長に依存する、その放射エレメントのサイズに縛られる。
【００１７】
したがって、かかるアンテナに十分な電磁性能を提供しつつ、放射エレメントのサイズを低減することに問題が存在し、従って、アンテナ及びそれらの全体のサイズを低減することに問題が存在する。
【００１８】
さらに、これらのアンテナ及びこれらアクセサリは、たとえば家庭又は専門的な環境といった、制限された環境に正しく統合される必要がある。
【００１９】
しかし、提案された変更は、ポータブルアンテナのコストにおける相当な増加となり、関連されるアクセサリ数における増加となる。
【００２０】
この更なるコストは、加入者のエレメントができるだけ安価となる大市場となる必要があるデジタル地上波テレビジョン市場の経済的な基準とは反対に進む。
【００２１】
本発明は、上述された問題のうちの少なくとも１つが解決されるのを可能にする。
【００２２】
本発明は、導電性のアースプレーンに搭載された少なくともモノポール放射エレメントが設けられたアンテナを有するデータ伝送システムに関し、この放射エレメントは、前記導電性の表面のエッジの近くに位置されるマストを通してアースプレーンの導電性の表面に接続されることを特徴とする。
【００２３】
本発明のおかげで、ポータブルアンテナは、同じ要求される性能レベルについて、これらのアンテナが良質の受信を保証しつつ、更にコンパクトである場合があるように、改善された性能を有する。放射エレメントのサイズにおける低減は、約３０％である。
【００２４】
さらに、特に大きく扱いにくい使用されるアクセサリ（特に、接続ケーブル、家庭用のリトランスミッタを含む接続手段）の数が低減される。
【００２５】
１実施の形態によれば、放射エレメントは、その励起のポイントで放射エレメントに固定されたマストを介して導電性の表面に接続されるので、この励起ポイントは、アースプレーンの表面に関して偏心される。
【００２６】
１実施の形態では、アースプレーンは、λ／２の倍数のオーダからなる、その長さ、その幅及び／又はその高さのようなその少なくとも１つの寸法を有する。λはアンテナにより使用される波長である。
【００２７】
１実施の形態によれば、システムは、その反射係数が動作周波数バンドにおいて−１０ｄＢよりも低いような手段を含む。
【００２８】
別の特徴によれば、システムは、同じ導電性の表面の反対のエッジの近くに位置されるマストを介して前記導電性のアースプレーンに設けられる第二の放射エレメントを含む。
【００２９】
１実施の形態では、アンテナには、中空の放射エレメントが設けられる。
【００３０】
１実施の形態では、アンテナのアースプレーンは、デジタル地上波テレビジョンデコーダの一方の面（たとえば上面）に対応する。
【００３１】
１実施の形態では、システムは、たとえば４７０ＭＨｚと８６２ＭＨｚとの間にある周波数をもつデジタル地上波テレビジョンの環境で送信された信号を受信及びデコードする手段を含む。
【００３２】
１実施の形態によれば、アンテナは、特に、それをパッキングし、それを詰め込むためのそのバルクを最小にするように、アースプレーンの表面に関して回転機構の周りで旋回するための手段を含む。
【００３３】
本発明の他の機能及び利点は、限定することのない例示により以下に与えられる記載から、及び添付される図面を参照して明らかになるであろう。
【発明を実施するための最良の形態】
【００３４】
図３ａは、その中心周波数が波長λに対応する周波数レンジで機能する、本発明に係るモノポールアンテナ３００、及びかかるアンテナ３００の反射係数のプロット３１０を示す図である。
【００３５】
このアンテナ３００は、マスト３０４を介してアースプレーン３０６に結合される放射エレメント３０２からなる。マスト３０４は、アースプレーン３０６のエッジの近くに位置される。このアースプレーン３０６は、この実施の形態では、λ／２の倍数のオーダからなる、その寸法の少なくとも１つ、特にその長さ、幅及び／又は高さを有する。
【００３６】
放射エレメント３０２の寸法は、高さ１７５ｍｍ及び幅９０ｍｍである。アースプレーン３０６の寸法は、２５０ｍｍ×１５０ｍｍである。
【００３７】
プロット３１０は、従来技術のアンテナ１００に対応する曲線３０８、及び本発明に係るアンテナ３００に対応する曲線３０９を示し、かかる曲線３０８及び３０９は、（ＧＨｚでｘ軸３１２にプロットされる）周波数の関数として、（デシベルでｙ軸３１４にプロットされる）反射係数における変動を表す。
【００３８】
これは、整合している周波数帯域は、アースプレーン３０６と放射エレメント３０２との間のインタラクションのおかげで、従来技術のアンテナ１００のケースにおける［（横軸３１６に対応する）４５０ＭＨｚ−（横座標３１８に対応する）９０３ＭＨｚ］から、本発明に係るアンテナのケースにおける［（横座標３２０に対応する）３０４ＭＨｚ−（横座標３２２に対応する）９３６ＭＨｚ］に推移する。
【００３９】
帯域幅（反射係数＜−１０ｄＢ）は、６６％〜１０２％に進む。言い換えれば、この帯域幅は、したがって約５０％だけ増加する。
【００４０】
さらに、低周波数は３０％だけ低減される。  
この放射エレメントとアースプレーンとの間のインタラクション作用は、図４において更に正確に例示され、図４は、放射エレメント４０２からなるサイドから見た、アースプレーン４０６のエンドから見た本発明に係るアンテナ４００を概念的に示しており、このアンテナの長さは、マスト４０４の放射エレメント４０２に接続される、λ／２の倍数のオーダからである。
【００４１】
この図４は、アンテナ４００の周りで生成される電気力線を示している。実際に、電気力線は、放射エレメント４０２とアースプレーン４０６の最も遠いエッジ４０８との間で特に確立される。
【００４２】
結果的に、電気力線は拡張され、更に低い周波数での動作を可能にする。
【００４３】
図３ｂは、アンテナ３００のそれと同じアースプレーン３０６にマスト３０４を介して接合される、（放射エレメント３０２よりも３０％小さい）高さ１２０ｍｍ及び幅６０ｍｍの寸法を有する（すなわち２５０ｍｍ×１５０ｍｍの寸法を有する）、小型又はコンパクトな放射エレメント３３０からなるアンテナ３２８を示している。
【００４４】
したがって、放射エレメント３３０を得るために約３０％だけ放射エレメント３０２の寸法を低減し、デジタル地上波テレビジョンに対応する４７０〜８６２ＭＨｚのＵＨＦ（Ultra  High  Frequency）の周波数帯域で動作することが可能となる。
【００４５】
このアンテナのサイズにおける３０％の低減は、小さな放射エレメント３３０とアースプレーンとの間の低周波数のシフトに対応する。
【００４６】
図３ｂに示されるプロットでは、曲線３３２は、（ＧＨｚでｘ軸３１２にプロットされる）周波数の関数として、アンテナ３２８の反射係数（デシベルでｙ軸３１４にプロットされる）を表す。
【００４７】
この曲線３３２を先に定義された曲線３０８と比較することで、本発明におかげで、同じ動作周波数帯域を保持しつつ、アンテナが従来技術に係るアンテナのそれに比べて３０％だけ更にコンパクトな放射エレメントを有することがわかる。
【００４８】
図５は、アンテナダイバーシチの利益を得るため、同じアースプレーンのそれぞれのサイドにコンパクトな放射エレメント５００と別のコンパクトな放射エレメント５０２を配置することができることを概念的に示している。
【００４９】
これは、デコーダのエッジでアンテナを配置すること可能にした事実により、２つのアンテナが少なくともλ／４だけ離れて配置されるのを可能にし、空間ダイバーシチのためにアンテナを無相関（decorrelate）にすることができる。
【００５０】
ダイアグラム５１０は、曲線５１６及び５１８を示し、これら曲線は、（ギガヘルツでｘ軸５１４にプロットされる）周波数の関数として、２つのアンテナの（デシベルでｙ軸５１２にプロットされる）反射係数からなる、２つの放射エレメント５００及び５０２のケースで実用的に重ね合わされている。
【００５１】
全体のアセンブリを更にコンパクトにするため、フレーム放射エレメントは、同じ電磁特性について立体の放射エレメントよりもコンパクト（小さな外側寸法）であるので、フレームアンテナ、すなわちモノポールアンテナのような中空の放射アンテナ（hollowed-out  radiating  element）が設けられたアンテナを使用することが可能である。
【００５２】
放射エレメントとデコーダの面との間の共同作業から利益を得つつ、デジタル地上波テレビジョンデコーダのアンテナの１つの面（たとえば上面）のアースプレーンとして使用することができ、したがってデコーダに放射エレメントを固定することができる。
【００５３】
この固定は、コンパクトであって単一の部材として作られる信号受信手段／デコーダアセンブリが形成されるように、別のコンパクト性における著しい増加とコストにおける低減となる（特に放射エレメントとデコーダのケーシングとの間の接続手段のようなアクセサリ（付属機器）の数を低減すること、及びパッケージ及び輸送費用における低減による）。
【００５４】
この発明は、様々な変形例が可能である。このように、標準的なデジタルデコーダの寸法を組み入れた３つの変形例が以下に提案される。
【００５５】
同じケーシングの寸法は、第一の変形例について維持され、第二及び第三の変形例について、デコーダの上のカバーを実質的に変更することが必要である。
【００５６】
基本的な考えは、デコーダのサイズの制約を考慮すること、単一のワンピースのアンテナ／デコーダプロダクトを提供するように、このケーシングにフィットするアンテナについてソリューションを生成する。
【００５７】
図６ａは、２つの放射エレメント６０２及び６０４がその最も長い長さに沿ってケーシングのいずれかのサイドに配置されるとき、二次元の空間ダイバーシチを可能にするアンテナ６００を示す。
【００５８】
この変形例は、２５０×１２５×４０ｍｍの寸法を有するデコーダケーシングを組み込みでおり、ケーシングを組み込んだアンテナの全体の高さは１６０ｍｍであり、厚さ０．３ｍｍを有する放射エレメントは金属のシートから構成され、２つの放射エレメントは、２１ｃｍだけ離れて配置され、すなわち７１４ＭＨｚでλ／２である。
【００５９】
結果的に、理論的なアプローチと比較して、空間ダイバーシチは、４７０ＭＨｚと７００ＭＨｚとの間で最適ではない（２つのアンテナ間の距離＞λ／２）。
【００６０】
アンテナは、次いで、特にそれをパッケージして、それを詰め込むため、そのボリュームを最小にするため、０〜９０°回転機構について旋回することができる。
【００６１】
アンテナとケーシングとの間の距離により、アンテナは、非常に簡単に適合することを可能にし、整合回路が除かれる。このステージでは、ポートのマッチングは直接的に５０Ωであり、これは、関連する増幅チェインに関して有利である。
【００６２】
全体のサイズに関して、全体の高さ１６０ｍｍ、フロアエリア２５０×１２５ｍｍ、放射エレメントの厚さ０．３ｍｍを有する。
【００６３】
図６ｂは、旋回されるマスト６０８及び６１０により、ケーシング６０６に関して放射エレメント６０２及び６０４の３つの位置を有することが可能であることを示しており、これらは、空間偏波ダイバーシチ動作位置と呼ばれる位置６２０、空間ダイバーシチ動作位置と呼ばれる位置６２２、ケーシング／アンテナアセンブリをトランスポート又は詰め込むのを容易にするパッケージされた位置と呼ばれる位置６２４である。
【００６４】
図７ａは、様々な動作パラメータのシミュレーションを示し、すなわちマッチングレベルＳ１１、インターアンテナアイソレーションＳ１２、及び、デジタル地上波受信アンテナ又はＤＴＴＶＲ（デジタル地上波ＴＶ受信）のためのマッチングレベルＳ２２であり、図７ｂは、これらパラメータの測定を示している。
【００６５】
これら図７ａ及び図７ｂでは、無線周波の観点から、本発明に係るアンテナは、整合回路を追加することなしに、動作帯域（４７０〜８６２ＭＨｚ）にわたり必要とされる性能（−１０ｄＢ）に整合されることが分かる。
【００６６】
２つのポート間のアイソレーションは、１０ｄＢよりも良好である。これは、主に２つのアンテナ間の物理的な分離のためである。
【００６７】
図８は、断面で部分的に示される、本発明に係るシステムポート８０２とポート８０４の８６０ＭＨｚ及び４７０ＭＨｚでの、デシベルでの放射プロットを例示している。
【００６８】
ポートＮｏ．１及びＮｏ．２について、放射プロットは所与の周波数で仮想的に同一である。指向性は、４７０ＭＨｚでの１．７ｄＢｉから８６０ＭＨｚでの７．５ＭＨｚに変動する。
【００６９】
別に、０〜１３５°、リローテーションメカニズムにより、空間ダイバーシチは、全体の４６０〜８６２ＭＨｚバンドにわたる偏波ダイバーシチを有することができる。
【００７０】
ケーシングに放射エレメントを追加する別の実施の形態の変形例は、偏波ダイバーシチのダイアモンドアンテナと呼ばれる。これは、図９に示される。
【００７１】
この変形例を生成するため、デコーダのケーシング９００の上側カバーが本質的に変更されることが必要である。
【００７２】
このアンテナは、２００×１００×３０ｍｍの寸法を有するデコーダケーシング９００をもつオーダ２の偏波ダイバーシチ（互いに関して９０°にある２つのポート）を可能にし、示される全体の高さ８１ｍｍは、ケーシングの３０ｍｍを考慮する。
【００７３】
マッチングは、放射エレメント９０２と増幅チェインとの間のセルを必要とする。このセルは、１００＋ｊ９０Ωの負荷を与える必要がある。
【００７４】
全体のサイズに関して、システムは、以下の寸法を有する。全体の高さ２１５ｍｍ、放射エレメントの厚さ１５ｍｍ、この厚さについて金属で覆われた形式からなることが可能である。
【００７５】
アンテナの寸法を正確に決定するため、以下を考慮することも可能である。２つのポート間のアイソレーションは、ポート間の２つの短絡回路を配置することで改善される。ポートに近い短絡回路を配置することで、帯域幅の損害に対するアイソレーションを増加する。放射エレメントの厚さは、その帯域幅を改善する。傾斜した部分を上方向に延ばすことで、帯域幅が増加する。
【００７６】
ケーシングカバーの構成に関する主要な利点は、このケーシングに垂直方向に２つのデコーダチューナを容易に配置する可能性にある。
【００７７】
このアンテナの電磁特性は、図１０，１１及び１２に例示されており、このアンテナが４７０〜８６０ＭＨｚに整合されること（１００＋ｊ９０Ωに整合）、２つのポート間のアイソレーションは、１１ｄＢよりも良好であることを示している。
【００７８】
このアンテナのポートＮｏ．１及びＮｏ．２について放射プロットは、相補的なものであって、全体の空間のカバレッジを許容する。
【００７９】
指向性は、４７０ＭＨｚでの２．６ｄＢｉから８６０ＭＨｚでの５．７ｄＢｉに変動する。図１２に示されるように、ダイバーシチは、４７０ＭＨｚ及び８６０ＭＨｚの両者で偏波により提供される。これは、たとえばφ＝０°平面において、ポートＮｏ．１の励起は、所定の開口で、Ｅ＿ψの大部分を示し、ポートＮｏ．２の励起は、Ｅ＿φの大部分を示すためである。
【００８０】
アンテナがケーシング上に統合される、特にデコーダのケーシングに統合される別の変形例は、図１３に示されている。これは、マルチプルダイバーシチアンテナと呼ばれる。
【００８１】
このオーダ２の偏波ダイバーシチをもつアンテナ（互いに９０°にある２つのポート）は、２５０×１２５×４０ｍｍの寸法でデコーダケーシングに統合される。ケーシングを含むアンテナの全体の高さは、１２０ｍｍである。
【００８２】
厚さ０．３ｍｍを持つ放射エレメントは、カットメタルシートからなる場合がある。ケーシングの下部に位置される放射エレメントは、シャシに固定され、同時に製造される場合がある。
【００８３】
アンテナのサイズは、以下の特性を考慮する。２つのポート間のアイソレーションは、ポート間に２つの短絡回路を配置することで改善される。ポートの近くに短絡回路を配置することで、帯域幅の損害に対するアイソレーションが増加される。放射エレメントの厚さがその帯域幅を改善する。傾斜した部分を上方向に延ばすことで帯域幅を増加させる。
【００８４】
アンテナは、４７０〜８６０ＭＨｚバンドに整合される（１７＋ｊ４５Ωに整合する）。これを行うため、アンテナは、同軸ケーブルのちょうど開始で整合される必要がある。２つのポート間のアイソレーションは、１７ｄＢよりも良好である。
【００８５】
様々な測定は、いわゆるマルチダイバーシチアンテナと呼ばれるケーシングに関連するこのアンテナの変形例の電磁特性に関して、ポートＮｏ．１及びＮｏ．２に対応する放射プロットは、８６０ＭＨｚで、２つの異なる空間領域をカバーし、４７０ＭＨｚでの仮想的に同一であることを示している。したがって、ＵＨＦバンドの高周波でプロットダイバーシチが存在する。
【００８６】
さらに、ケーシングの下部に向かって放射エレメントをシフトしたことで、指向性が２．５ｄＢｉ（４７０ＭＨｚ）から８．３ｄＢｉ（８６０ＭＨｚ）に変動するようなやり方で、ケーシングの後部に向かってプロットの変位を生じさせる。
【００８７】
偏波ダイバーシチも存在することを示すため、ｘ，ｙ及びｚ軸に沿った電場Ｅの成分は観察される必要がある。電場Ｅの成分が他の２つの軸ｊ、ｋに比較して軸ｉに沿って支配的である場合、偏波は軸ｉに沿っていることを考慮する必要がある。
【００８８】
このように、アンテナが偏波ダイバーシチを有し、第一のポートに対応する電場Ｅの１つの成分は、軸ｉに沿って支配的であり、第二のポートに対応する電場Ｅの成分は、別の軸ｊ又はｋに沿って支配的である。
【００８９】
アンテナの偏波の指向性の方向が抽出される場合があり、偏波ダイバーシチが存在することを明らかに示している。
【００９０】
【表１】
2007531362.tif 000003
本発明の１変形例では、アンテナに近い隆起の３分の１が残されるようなやり方でカバーが変更され、図１４に示されるように、必要であれば、隆起の残りが省略及び／又は平滑化されることが可能である。
【図面の簡単な説明】
【００９１】
【図１】既に記載された、モノポールアンテナをもつ公知の受信及びデコードシステムを示す図である。
【図２】既に記載された、公知のモノポールアンテナの動作周波数の関数として反射係数を示す図である。
【図３】図３ａ及び図３ｂは、概念的なアンテナ及びそれら対応する反射係数のプロットを示す図である。
【図４】アンテナの周囲の電磁場を概念的に示す図である。
【図５】２つの放射エレメント及び対応する反射プロットを有するアンテナを示す図である。
【図６ａ】ケーシングに固定されている、２つのフレームタイプの放射エレメントから構成されるアンテナを示す図である。
【図６ｂ】旋回されるマストによる図６ａに係るアンテナの様々な位置を示す図である。
【図７】図７ａ及び図７ｂは、本発明に係るアンテナの性能に関するパラメータの測定値を示す図である。
【図８】デコーダのケーシングに配置されるフレームアンテナの電磁的な特性を示す図である。
【図９】偏波ダイバーシティダイアモンドアンテナと呼ばれる、放射エレメントをケーシングに追加する代替的な実施の形態を示す図である。
【図１０】ダイアモンドアンテナ変数の電磁的特性を示す図である。
【図１１】ダイアモンドアンテナ変数の電磁的特性を示す図である。
【図１２】ダイアモンドアンテナ変数の電磁的特性を示す図である。
【図１３】マルチプルダイバーシチアンテナと呼ばれる、アンテナがケーシングに統合された別の変形例を示す図である。
【図１４】より小さなアースプレーンをもつ図９のアンテナの変形例を示す図である。
【図１】
2007531362.tif 000004
【図２】
2007531362.tif 000005
【図３ａ】
2007531362.tif 000006
【図３ｂ】
2007531362.tif 000007
【図４】
2007531362.tif 000008
【図５】
2007531362.tif 000009
【図６ａ】
2007531362.tif 000010
【図６ｂ】
2007531362.tif 000011
【図７】
2007531362.tif 000012
【図８】
2007531362.tif 000013
【図９】
2007531362.tif 000014
【図１０】
2007531362.tif 000015
【図１１】
2007531362.tif 000016
【図１２】
2007531362.tif 000017
【図１３】
2007531362.tif 000018
【図１４】
2007531362.tif 000019
【国際調査報告】
2007531362.tif 000020
2007531362.tif 000021
2007531362.tif 000022